【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
人物の顔部分を特徴づける顔認識用データと該人物の個人情報とを対応付けて予め記憶する個人情報記憶手段と、
前記撮像手段により撮像して得られた画像から人物の顔部分を認識する顔認識手段と、
前記顔認識手段により認識された顔部分に対応する人物を、前記個人情報記憶手段に記憶されている顔認識用データに基づいて特定する人物特定手段と、
前記人物特定手段により特定された人物のうち、所定の状態で撮像されていない人物を特定する状態特定手段と、
前記状態特定手段により所定の状態で撮像されていないことが特定された人物の個人情報を、前記個人情報記憶手段から読み出す個人情報読出手段と、
前記個人情報読出手段により読み出された個人情報と、前記状態特定手段により特定された人物の状態に基づいて、前記人物が前記所定の状態で撮像されるよう指示する案内情報であって、該当人物を特定可能な案内情報を作成する案内情報作成手段と、
前記案内情報作成手段により作成された案内情報を出力する案内情報出力手段と
を具備することを特徴とする撮影装置。
【請求項２】
前記案内情報作成手段は、前記個人情報読出手段により読み出された個人情報と、前記状態特定手段により特定された人物の状態に基づいて、前記人物が前記所定の状態で撮像されるよう指示する、該当人物を特定可能な案内文を作成することを特徴とする請求項１記載の撮影装置。
【請求項３】
前記案内情報出力手段は、前記案内情報作成手段により作成された案内文に基づいて、案内音声を合成して出力することを特徴とする請求項２記載の撮影装置。
【請求項４】
前記状態特定手段は、前記所定の状態で撮像されているか否かを複数項目で判定し、
前記案内情報作成手段は、前記人物が前記所定の状態で撮像されるよう指示する案内情報であって、前記所定の状態で撮像されていない項目を特定可能な案内情報を作成することを特徴とする請求項１乃至３のいずれかに記載の撮影装置。
【請求項５】
前記状態特定手段は、前記所定の状態で撮像されているか否かを判定する複数項目として、前記人物が、前記撮像手段により撮像される所定の撮像領域内に収まっているか否かの判定項目、笑っているか否かの判定項目、目をつぶっていないか否かの判定項目、のうち少なくとも１つの判定項目を含むことを特徴とする請求項４記載の撮影装置。
【請求項６】
前記案内情報作成手段は、前記人物に撮影領域内に入ることを促す案内情報、前記人物に笑うことを促す案内情報、前記人物に瞬きをしないよう促す案内情報、のうち少なくとも１つの案内情報を作成することを特徴とする請求項５記載の撮影装置。
【請求項７】
前記状態特定手段は、前記人物が、前記撮像手段により撮像される所定の撮像領域に対していずれの方向に外れているかを特定し、
前記案内情報作成手段は、前記所定の撮影領域内に入るために移動すべき方向を示す案内情報を作成することを特徴とする請求項１乃至６のいずれかに記載の撮影装置。
【請求項８】
前記個人情報は、人物の呼称を含み、
前記案内情報作成手段は、前記人物の呼称が含まれる前記案内文を作成することを特徴とする請求項２または３に記載の撮影装置。
【請求項９】
前記案内情報作成手段は、前記個人情報読出手段により読み出された個人情報に基づいて、該当人物に適した形態の案内文を作成することを特徴とする請求項２または３に記載の撮影装置。
【請求項１０】
前記個人情報は、人物の年齢を含み、
前記案内情報作成手段は、前記人物の年齢に応じて前記案内文を作成することを特徴とする請求項９に記載の撮影装置。
【請求項１１】
前記案内情報出力手段は、前記個人情報読出手段により読み出された個人情報および前記案内情報作成手段により作成された案内文に基づいて、該当人物に適した形態の案内音声を合成して出力することを特徴とする請求項３記載の撮影装置。
【請求項１２】
前記個人情報は、人物が好む音楽を含み、
前記案内情報出力手段は、前記音楽を含む前記案内音声を合成して出力することを特徴とする請求項１１に記載の撮影装置。
【請求項１３】
前記個人情報は、人物が好むキャラクタ、あるいは有名人の声色を含み、
前記案内情報出力手段は、前記声色で前記案内音声を合成して出力することを特徴とする請求項１１に記載の撮影装置。
【請求項１４】
前記個人情報は、人物が用いる言語を含み、
前記案内情報出力手段は、前記言語で前記案内文を作成することを特徴とする請求項１１に記載の撮影装置。
【請求項１５】
複数の基本案内文を記憶する基本案内文記憶手段を更に備え、
前記案内情報作成手段は、
前記基本案内文記憶手段に記憶されている複数の案内文の中から、前記個人情報特定手段により特定された個人情報に応じた少なくとも１つ以上の基本案内文を選択する基本案内文選択手段と、
前記基本案内文選択手段により選択された少なくとも１つ以上の基本案内文と前記個人情報読出手段により読み出された個人情報とを合成して、前記案内文を作成する案内文合成手段と
を備えることを特徴とする請求項１乃至１４のいずれかに記載の撮影装置。
【請求項１６】
前記人物特定手段により特定すべき少なくも一人以上の人物を指定する指定手段を更に備え、
前記個人情報記憶手段は、前記指定手段により指定されているか否かを示す指定フラグを、人物の個人情報と対応付けて記憶し、
前記人物特定手段は、前記指定フラグが有効に設定されている少なくも一人以上の人物を、前記顔認識手段により認識された顔部分に対応する人物の中から、前記個人情報記憶手段に記憶されている顔認識用データに基づいて特定する、
ことを特徴とする請求項１乃至１５のいずれかに記載の撮影装置。
【請求項１７】
被写体を撮像するステップと、
人物の顔部分を特徴づける顔認識用データと該人物の個人情報とを対応付けて予め記憶するステップと、
前記撮像された画像から人物の顔部分を認識するステップと、
前記認識された顔部分に対応する人物を、前記記憶されている顔認識用データに基づいて特定するステップと、
前記特定された人物のうち、所定の状態で撮像されていない人物を特定するステップと、
前記所定の状態で撮像されていないことが特定された人物の個人情報と、前記状態特定手段により特定された人物の状態に基づいて、前記人物が前記所定の状態で撮像されるよう指示する案内情報であって、該当人物を特定可能な案内情報を作成するステップと、
前記作成された案内情報を出力するステップと
を含むことを特徴とする撮影案内方法。
【請求項１８】
被写体を撮像する撮像部を備える撮影装置の動作を制御するプログラムであって、
コンピュータに、
前記撮影部により被写体を撮像する撮像機能、
人物の顔部分を特徴づける顔認識用データと該人物の個人情報とを対応付けて予め記憶する個人情報記憶機能、
前記撮像部によりにより撮像して得られた画像から人物の顔部分を認識する顔認識機能、
前記顔認識機能により認識された顔部分に対応する人物を、前記個人情報記憶機能で記憶されている顔認識用データに基づいて特定する人物特定機能、
前記人物特定機能により特定された人物のうち、所定の状態で撮像されていない人物を特定する状態特定機能、
前記状態特定機能により所定の状態で撮像されていないことが特定された人物の個人情報と、前記状態特定機能により特定された人物の状態に基づいて、前記人物が前記所定の状態で撮像されるよう指示する案内情報であって、該当人物を特定可能な案内情報を作成する案内情報作成機能と、
前記案内情報作成機能により作成された案内情報を出力する案内情報出力機能、
を実現させることを特徴とするプログラム。
【手続補正２】
【補正対象書類名】明細書
【補正対象項目名】発明の名称
【補正方法】変更
【補正の内容】
【発明の名称】撮影装置、撮影案内方法、及びプログラム
【手続補正３】
【補正対象書類名】明細書
【補正対象項目名】０００１
【補正方法】変更
【補正の内容】
【０００１】
本発明は、顔認識機能を有し、被写体に対する案内を出力する撮影装置、撮影案内方法、及びプログラムに関する。
【手続補正４】
【補正対象書類名】明細書
【補正対象項目名】０００５
【補正方法】変更
【補正の内容】
【０００５】
そこで本発明は、撮影時に特定の人物に対して適切な案内を行うことができる撮影装置を提供することを目的とする。
【手続補正５】
【補正対象書類名】明細書
【補正対象項目名】０００６
【補正方法】変更
【補正の内容】
【０００６】
上記目的達成のため、本発明の撮影装置は、被写体を撮像する撮像手段と、人物の顔部分を特徴づける顔認識用データと該人物の個人情報とを対応付けて予め記憶する個人情報記憶手段と、前記撮像手段により撮像して得られた画像から人物の顔部分を認識する顔認識手段と、前記顔認識手段により認識された顔部分に対応する人物を、前記個人情報記憶手段に記憶されている顔認識用データに基づいて特定する人物特定手段と、前記人物特定手段により特定された人物のうち、所定の状態で撮像されていない人物を特定する状態特定手段と、前記状態特定手段により所定の状態で撮像されていないことが特定された人物の個人情報を、前記個人情報記憶手段から読み出す個人情報読出手段と、前記個人情報読出手段により読み出された個人情報と、前記状態特定手段により特定された人物の状態に基づいて、前記人物が前記所定の状態で撮像されるよう指示する案内情報であって、該当人物を特定可能な案内情報を作成する案内情報作成手段と、前記案内情報作成手段により作成された案内情報を出力する案内情報出力手段とを具備することを特徴とする。
【手続補正６】
【補正対象書類名】明細書
【補正対象項目名】０００７
【補正方法】変更
【補正の内容】
【０００７】
また、好ましい態様として更に、前記案内情報作成手段は、前記個人情報読出手段により読み出された個人情報と、前記状態特定手段により特定された人物の状態に基づいて、前記人物が前記所定の状態で撮像されるよう指示する、該当人物を特定可能な案内文を作成することを特徴とする。
また、好ましい態様として更に、前記案内情報出力手段は、前記案内情報作成手段により作成された案内文に基づいて、案内音声を合成して出力することを特徴とする。
【手続補正７】
【補正対象書類名】明細書
【補正対象項目名】０００８
【補正方法】変更
【補正の内容】
【０００８】
また、好ましい態様として更に、前記状態特定手段は、前記所定の状態で撮像されているか否かを複数項目で判定し、前記案内情報作成手段は、前記人物が前記所定の状態で撮像されるよう指示する案内情報であって、前記所定の状態で撮像されていない項目を特定可能な案内情報を作成することを特徴とする。
【手続補正８】
【補正対象書類名】明細書
【補正対象項目名】０００９
【補正方法】変更
【補正の内容】
【０００９】
また、好ましい態様として更に、前記状態特定手段は、前記所定の状態で撮像されているか否かを判定する複数項目として、前記人物が、前記撮像手段により撮像される所定の撮像領域内に収まっているか否かの判定項目、笑っているか否かの判定項目、目をつぶっていないか否かの判定項目、のうち少なくとも１つの判定項目を含むことを特徴とする。
また、好ましい態様として更に、前記案内情報作成手段は、前記人物に撮影領域内に入ることを促す案内情報、前記人物に笑うことを促す案内情報、前記人物に瞬きをしないよう促す案内情報、のうち少なくとも１つの案内情報を作成することを特徴とする。
【手続補正９】
【補正対象書類名】明細書
【補正対象項目名】００１０
【補正方法】変更
【補正の内容】
【００１０】
また、好ましい態様として更に、前記状態特定手段は、前記人物が、前記撮像手段により撮像される所定の撮像領域に対していずれの方向に外れているかを特定し、前記案内情報作成手段は、前記所定の撮影領域内に入るために移動すべき方向を示す案内情報を作成することを特徴とする。
【手続補正１０】
【補正対象書類名】明細書
【補正対象項目名】００１１
【補正方法】変更
【補正の内容】
【００１１】
また、好ましい態様として更に、前記個人情報は、人物の呼称を含み、前記案内情報作成手段は、前記人物の呼称が含まれる前記案内文を作成することを特徴とする。
また、好ましい態様として更に、前記案内情報作成手段は、前記個人情報読出手段により読み出された個人情報に基づいて、該当人物に適した形態の案内文を作成することを特徴とする。
【手続補正１１】
【補正対象書類名】明細書
【補正対象項目名】００１２
【補正方法】変更
【補正の内容】
【００１２】
また、好ましい態様として更に、前記個人情報は、人物の年齢を含み、前記案内情報作成手段は、前記人物の年齢に応じて前記案内文を作成することを特徴とする。
【手続補正１２】
【補正対象書類名】明細書
【補正対象項目名】００１３
【補正方法】変更
【補正の内容】
【００１３】
また、好ましい態様として更に、前記案内情報出力手段は、前記個人情報読出手段により読み出された個人情報および前記案内情報作成手段により作成された案内文に基づいて、該当人物に適した形態の案内音声を合成して出力することを特徴とする。
また、好ましい態様として更に、前記個人情報は、人物が好む音楽を含み、
前記案内情報出力手段は、前記音楽を含む前記案内音声を合成して出力することを特徴とする。
【手続補正１３】
【補正対象書類名】明細書
【補正対象項目名】００１４
【補正方法】変更
【補正の内容】
【００１４】
また、好ましい態様として更に、前記個人情報は、人物が好むキャラクタ、あるいは有名人の声色を含み、前記案内情報出力手段は、前記声色で前記案内音声を合成して出力することを特徴とする。
【手続補正１４】
【補正対象書類名】明細書
【補正対象項目名】００１５
【補正方法】変更
【補正の内容】
【００１５】
また、好ましい態様として更に、前記個人情報は、人物が用いる言語を含み、前記案内情報出力手段は、前記言語で前記案内文を作成することを特徴とする。
【手続補正１５】
【補正対象書類名】明細書
【補正対象項目名】００１６
【補正方法】変更
【補正の内容】
【００１６】
また、好ましい態様として更に、複数の基本案内文を記憶する基本案内文記憶手段を更に備え、前記案内情報作成手段は、前記基本案内文記憶手段に記憶されている複数の案内文の中から、前記個人情報特定手段により特定された個人情報に応じた少なくとも１つ以上の基本案内文を選択する基本案内文選択手段と、前記基本案内文選択手段により選択された少なくとも１つ以上の基本案内文と前記個人情報読出手段により読み出された個人情報とを合成して、前記案内文を作成する案内文合成手段とを備えることを特徴とする。
【手続補正１６】
【補正対象書類名】明細書
【補正対象項目名】００１７
【補正方法】変更
【補正の内容】
【００１７】
また、好ましい態様として更に、前記人物特定手段により特定すべき少なくも一人以上の人物を指定する指定手段を更に備え、前記個人情報記憶手段は、前記指定手段により指定されているか否かを示す指定フラグを、人物の個人情報と対応付けて記憶し、前記人物特定手段は、前記指定フラグが有効に設定されている少なくも一人以上の人物を、前記顔認識手段により認識された顔部分に対応する人物の中から、前記個人情報記憶手段に記憶されている顔認識用データに基づいて特定する、ことを特徴とする。
【手続補正１７】
【補正対象書類名】明細書
【補正対象項目名】００１８
【補正方法】変更
【補正の内容】
【００１８】
また、上記目的達成のため、本発明の撮影方法は、被写体を撮像するステップと、人物の顔部分を特徴づける顔認識用データと該人物の個人情報とを対応付けて予め記憶するステップと、前記撮像された画像から人物の顔部分を認識するステップと、前記認識された顔部分に対応する人物を、前記記憶されている顔認識用データに基づいて特定するステップと、前記特定された人物のうち、所定の状態で撮像されていない人物を特定するステップと、前記所定の状態で撮像されていないことが特定された人物の個人情報と、前記状態特定手段により特定された人物の状態に基づいて、前記人物が前記所定の状態で撮像されるよう指示する案内情報であって、該当人物を特定可能な案内情報を作成するステップと、前記作成された案内情報を出力するステップとを含むことを特徴とする。
【手続補正１８】
【補正対象書類名】明細書
【補正対象項目名】００１９
【補正方法】変更
【補正の内容】
【００１９】
また、上記目的達成のため、本発明のプログラムは、被写体を撮像する撮像部を備える撮影装置の動作を制御するプログラムであって、コンピュータに、前記撮影部により被写体を撮像する撮像機能、人物の顔部分を特徴づける顔認識用データと該人物の個人情報とを対応付けて予め記憶する個人情報記憶機能、前記撮像部によりにより撮像して得られた画像から人物の顔部分を認識する顔認識機能、前記顔認識機能により認識された顔部分に対応する人物を、前記個人情報記憶機能で記憶されている顔認識用データに基づいて特定する人物特定機能、前記人物特定機能により特定された人物のうち、所定の状態で撮像されていない人物を特定する状態特定機能、前記状態特定機能により所定の状態で撮像されていないことが特定された人物の個人情報と、前記状態特定機能により特定された人物の状態に基づいて、前記人物が前記所定の状態で撮像されるよう指示する案内情報であって、該当人物を特定可能な案内情報を作成する案内情報作成機能と、前記案内情報作成機能により作成された案内情報を出力する案内情報出力機能、を実現させることを特徴とする。
【手続補正１９】
【補正対象書類名】明細書
【補正対象項目名】００２０
【補正方法】変更
【補正の内容】
【００２０】
この発明によれば、所定の状態でない人物が所定の状態で撮像されるよう指示する案内を、所定の状態でない人物を特定可能な形態の案内情報により案内することで、誰への案内であるかを明確にするとともに、この人物に対してより効果的な案内を行うことができるという利点が得られる。